(57)【要約】【課題】  簡単且つ正確に乳児等の等身大写真を作成する。【解決手段】  デジタルカメラ１００を鉛直下方に向けて固定する工程と、当該デジタルカメラ１００の真下位置に被写体となる乳児２００を寝かせて配置する工程と、乳児２００を単独で撮影する第１の撮影工程と、既知の大きさのスケール体１５０と共に乳児２００を撮影する第２の撮影工程と、この第２の撮影工程で取得された画像に基づいて、当該画像を印刷物として出力した際にスケール体１５０が実寸となる倍率を求める工程と、求められた倍率に応じて第１の撮影工程で取得された画像を印刷物として出力する工程と、を経て写真を作成する。【選択図】図１
2014191324.tif 000002
【特許請求の範囲】
【請求項１】
デジタルカメラを鉛直下方に向けて固定する工程と、
当該デジタルカメラの真下位置に被写体を寝かせて配置する工程と、
前記被写体を単独で撮影する第１の撮影工程と、
既知の大きさのスケール体と共に前記被写体を撮影する第２の撮影工程と、
前記第２の撮影工程で取得された画像に基づいて、当該画像を印刷物として出力した際に前記スケール体が実寸となる倍率を求める工程と、
求められた前記倍率に応じて前記第１の撮影工程で取得された画像を印刷物として出力する工程と、を経る
ことを特徴とする等身大写真作成方法。
【請求項２】
請求項１において、
前記スケール体は、基準面が水平となるように配置して撮影する
ことを特徴とする等身大写真作成方法。
【請求項３】
請求項１又は２において、
前記被写体が乳児であるとき、
前記スケール体は、前記乳児の額位置に配置して撮影する
ことを特徴とする等身大写真作成方法。
【請求項４】
請求項１〜３の等身大写真作成方法によって作成された写真。
【請求項５】
請求項１〜３の等身大写真作成方法に使用されるスケール体であって、
既知の大きさの基準面部と、
当該基準面部を支持する本体部と、
当該本体部に対して前記基準面部を上下にスライドして位置決めできる位置決め機構と、
前記基準面部の水平状態を計測できる水準器と、を備える
ことを特徴とする等身大写真撮影用スケール体。
【発明の詳細な説明】
【技術分野】
【０００１】
本発明は、写真の作成方法に関し、特に乳児等の被写体を対象として、簡単且つ正確に等身大写真を作成する方法に関する。
【背景技術】
【０００２】
従来から、乳児を写真撮影し、略等身大にプリントすること自体は広く行われている（非特許文献１）。
【先行技術文献】
【非特許文献】
【０００３】
【非特許文献１】フジカラー北陸のウェブサイト  大伸ばしプリントのページ（http://www.fhweb.jp/seihin/oonobasi.htm）
【発明の概要】
【発明が解決しようとする課題】
【０００４】
しかしながら、上記非特許文献１における手法は、撮影した乳児を大凡の目測で等身大「程度」にプリントするといったかなり適当な手法で等身大化されているのであって、実際の大きさを正確に再現したものとは言えない。特に子を持つ親としては、撮影当時の我が子を寸分の狂いのない実際の大きさのままで写真として残しておきたいという要望があるが、実現されていないのが現状である。
【０００５】
そこで本発明は、このような要望を満たすべく、簡単且つ正確に乳児等の等身大写真を作成することをその目的としている。
【課題を解決するための手段】
【０００６】
上記課題を解決するべく、本願発明は、デジタルカメラを鉛直下方に向けて固定する工程と、当該デジタルカメラの真下位置に被写体を寝かせて配置する工程と、前記被写体を単独で撮影する第１の撮影工程と、既知の大きさのスケール体と共に前記被写体を撮影する第２の撮影工程と、前記第２の撮影工程で取得された画像に基づいて、当該画像を印刷物として出力した際に前記スケール体が実寸となる倍率を求める工程と、求められた前記倍率に応じて前記第１の撮影工程で取得された画像を印刷物として出力する工程と、を経ることを特徴とする。
【０００７】
このような手順を経て写真（印刷物）を作成することによって、乳児等の被写体の大きさを正確に再現した写真を簡単に作成することが可能となった。
【０００８】
また、前記スケール体は、基準面が水平となるように配置して撮影することが望ましい。
【０００９】
これにより、スケールの傾き等に起因する寸法誤差を排除することができる。
【００１０】
また、前記被写体が乳児であるとき、前記スケール体は、前記乳児の額位置に配置して撮影することが望ましい。
【００１１】
被写体である乳児を床に寝かせて配置した場合、高さ方向の厚みがあるためいずれの高さを基準とするのかによって写真にした際の大きさに誤差が生じるが、額位置を基準とすれば、乳児の写真において最も目を引く顔部の大きさを寸分の狂いもなく等身大に写真として再現することが可能となる。
【００１２】
また上記方法に使用されるスケール体であって、既知の大きさの基準面部と、当該基準面部を支持する本体部と、当該本体部に対して前記基準面部を上下にスライドして位置決めできる位置決め機構と、前記基準面部の水平状態を計測できる水準器と、を備えることを特徴とする。
【００１３】
このようなスケール体を用いることで、被写体（例えば寝かせた状態の乳児）の所望の部位（額、胸、おへそ等）に基準面を配置して撮影することが可能となる。
【発明の効果】
【００１４】
本発明を適用することで、簡単且つ正確に乳児等の被写体の等身大写真を作成することができる。
【図面の簡単な説明】
【００１５】
【図１】撮影時のデジタルカメラ、被写体（乳児）の配置等を示した概略図である。
【図２】被写体（乳児）にスケール体を当てている状態を示した図である。
【図３】スケール体の斜視図である。
【発明を実施するための形態】
【００１６】
以下、添付図面を参照しつつ、本発明の実施形態の一例である写真作成方法について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１７】
〈写真作成手順〉
まず最初に、デジタルカメラ１００のレンズ方向を鉛直下方に向けて三脚１０２等を使用して固定する。
【００１８】
続いてこのデジタルカメラ１００のレンズの真下位置に被写体となる乳児２００を寝かせて配置する。
【００１９】
また一方で、レンズの焦点距離を適切な位置に固定する。なおこの時の焦点距離は、被写体となる乳児の前後差（乳児を寝かせた状態における高さ方向の差）に起因して撮影した写真がパース状となるのを防止するべく、５０ｍｍ以上とするのが望ましい。またここで固定した焦点距離は、撮影が終了するまで変更しない。
【００２０】
続いて、乳児２００を単独で撮影する（第１の撮影工程）。
【００２１】
続いて、図２に示しているように、スケール体１５０と共に乳児２００を撮影する（第２の撮影工程）。具体的には、スケール体１５０の基準面部１５８を乳児２００の額に載せるようにして、更に、基準面部１５８が水平となっているかを水準器１６０によって確認した上で当該スケール体１５０（の基準面部１５８）も一緒に撮影する。基準面部１５８を乳児２００の額に接触するように配置するのが理想であるが、乳児が動く等して基準面が動いてしまうような場合は、僅かに浮かせるようにして配置してもよい。なおこのスケール体１５０は、定規を利用して作成された基準面部１５８と、当該基準面部１５８を支持する本体部１５４と、当該本体部１５４に対して基準面部１５８を上下にスライドして位置決めできる位置決め機構１５６と、基準面部１５８の水平状態を計測できる水準器１６０と、を備えて構成されている（図３参照）。
【００２２】
なお、上記第１の撮影工程と第２の撮影工程の順序が逆になってもよい。
【００２３】
続いて、この第２の撮影工程で取得された画像に基づいて、当該画像を印刷物として出力した際に前記スケール体１５０（の基準面部１５８）が実寸となる倍率を求める。具体的には、市販の画像処理ソフト等を利用して当該画像を読み込んだ上で、スケール体１５０（の基準面部１５８）の印刷時の大きさが、実際の大きさとなる倍率を取得する。基準面部１５８は定規で構成されているので、この定規の目盛り（例えば１０ｃｍ）の大きさが実際に１０ｃｍとなる倍率を求めるのである。
【００２４】
次に、第１の撮影工程で得られた画像を、先の手順で取得した倍率に変換して（画像を置き換えて）印刷することによって、乳児２００の正確な等身大写真が完成する。
【００２５】
なお、必要に応じて色補正等を行うことは自由である。
【００２６】
このように、本発明の作成方法によれば、簡単且つ正確に、乳児の等身大写真を作成することが可能となる。特に、被写体である乳児２００を床に寝かせて配置した場合、高さ方向の厚みがあるためいずれの高さを基準とするのかによって写真にした際の大きさに誤差が生じるが、額位置を基準とすれば、乳児２００の写真において最も目を引く顔部の大きさを寸分の狂いもなく等身大に写真として再現することが可能となっている。
【００２７】
なお、上記では被写体として乳児を例に説明しているが、幼児、子供、大人を問わず広く適用する事が可能である。更に、身体の特定の部位のみに着目して、当該特定の部位のみを等身大として写真を作成することも可能である。例えばボディビルダーなど、鍛え上げた特定の筋肉を等身大写真として作成し記念に残しておきたい場合などにも有効であるし、時期をおいて同じ部位を等身大に撮影して鍛えた結果を視覚的に比較したい場合などにも有効である。
【符号の説明】
【００２８】
１００…デジタルカメラ
１０２…三脚
１５０…スケール体
１６０…水準器
２００…乳児（被写体）
【図１】
2014191324.tif 000003
【図２】
2014191324.tif 000004
【図３】
2014191324.tif 000005